(57)【要約】【課題】モバイルＴＶ専用インターフェースを持たないメインＣＰＵにも、モバイルＴＶ受信機能を簡単に追加することができる携帯端末装置を提供すること。【解決手段】携帯端末装置１００全体を制御するとともに、モバイルＴＶバックエンド処理ＬＳＩ１２０間をホストＩ／Ｆ１４１、カメラＩ／Ｆ１４２及びオーディオＩ／Ｆ１４３により接続するセルラーベースバンドＬＳＩ１１０と、モバイルＴＶ機能を実現するモバイルＴＶバックエンド処理ＬＳＩ１２０とを備え、モバイルＴＶバックエンド処理ＬＳＩ１２０内に、セルラーベースバンドＬＳＩ１１０からの制御信号に基づいて携帯電話向けカメラモジュール１２５の映像信号とモバイルＴＶ用映像信号とを選択する選択回路１２２を設け、いずれか一方の映像信号をカメラＩ／Ｆ１４２に出力する。【選択図】図１
2008219174.tif 000002
【特許請求の範囲】
【請求項１】
特定プログラムを実行する外部特定機能部と、
前記外部特定機能部を制御するホストインターフェースと、
カメラインターフェースと、
前記外部特定機能部からの出力と前記カメラインターフェースへの入力とを選択し、該選択した信号を前記カメラインターフェースに接続する制御を行う制御手段と
を備えることを特徴とする携帯端末装置。
【請求項２】
前記カメラインターフェースは、カメラモジュールからの撮像データを入力することを特徴とする請求項１記載の携帯端末装置。
【請求項３】
前記外部特定機能部は、モバイルテレビを受信するモバイルテレビモジュールであることを特徴とする請求項１記載の携帯端末装置。
【請求項４】
前記制御手段は、前記外部特定機能部からの出力と前記カメラインターフェースへの入力とを合成し、該合成した信号を前記カメラインターフェースに接続する制御を行うことを特徴とする請求項１記載の携帯端末装置。
【請求項５】
前記外部特定機能部は、前記カメラインターフェースと同一機能の機能部側カメラインターフェースと、
前記外部特定機能部からの出力と前記機能部側カメラインターフェースへの入力とを選択する選択手段とを備え、
前記選択手段により選択された信号を前記カメラインターフェースに入力することを特徴とする請求項１記載の携帯端末装置。
【請求項６】
前記外部特定機能部は、前記カメラインターフェースと同一機能の機能部側カメラインターフェースと、
前記外部特定機能部からの出力と前記機能部側カメラインターフェースへの入力とを合成する合成手段とを備え、
前記合成手段により合成された信号を前記カメラインターフェースに入力することを特徴とする請求項１記載の携帯端末装置。
【発明の詳細な説明】
【技術分野】
【０００１】
本発明は、カメラ付き携帯電話機等の通信端末装置に関する。
【背景技術】
【０００２】
近年、小型で、低消費電力のイメージセンサが開発されたことに伴い、ＰＤＡ（Personal Digital Assistants）や携帯電話機などの携帯型装置にカメラを内蔵することが可能となり、内蔵カメラにより撮影した画像を、メモ代わりに印刷物を撮影したり、電子メールで即座に送信できることが可能となっている。
【０００３】
特許文献１には、相互に仕様の異なる複数の撮像装置と、これらの撮像装置のいずれか一つを選択する選択手段を備え、用途によって使い分ける撮像装置搭載携帯電話機が記載されている。
【０００４】
また、モバイルＴＶ放送信号を受信する機能を備えた携帯電話機は、ＲＦ部やベースバンド部からなるモバイルＴＶ受信モジュールと、ＡＶデコード処理やデータ放送を処理するためのバックエンド処理を行うメインＣＰＵなどから構成され、それぞれが専用のインターフェースにより接続されている。例えば、メインＣＰＵには、アプリケーションＬＳＩのように、データ放送やＡＶストリームが多重された映像サービスを受信するためのモバイルＴＶ受信専用インターフェースが装備されている。また、特許文献２に記載のナビゲーションサービスでは、モバイルＴＶ受信モジュールとして、ＩＳＤＢ−Ｔ（日本地上デジタルテレビジョン放送方式）、ＤＶＢ−Ｈ（欧州通信規格機構デジタルビデオ放送地上波）受信モジュールのようにＭＰＥＧ２−ＴＳ（Moving Picture Experts Group 2 - Transport Stream）を出力する専用のインターフェースを装備し、相互に接続したモバイルＴＶ受信システムが開示されている。
【特許文献１】特開２００４−６４３５０号公報
【特許文献２】特表２００５−５０９１６６号公報
【発明の開示】
【発明が解決しようとする課題】
【０００５】
しかしながら、このような従来のカメラ付き携帯端末装置にあっては、ほとんどの携帯電話にはカメラインターフェースを持ったメインＣＰＵが使用されている。一方、ＩＳＤＢ−ＴやＴ−ＤＭＢ、ＤＶＢ−ＨといったモバイルＴＶ受信機能は、サービスが開始されたばかりでありメインＣＰＵにはモバイルＴＶ専用インターフェースを持っていないものが多い。更に、従来携帯電話などをはじめとするモバイルＴＶ端末を受信するような小型携帯機器開発メーカは、テレビ視聴及び録画機能を開発した経験が少なく、その機能を実現できるプログラムを開発することが困難である。
【０００６】
本発明は、かかる点に鑑みてなされたものであり、モバイルＴＶ専用インターフェースを持たないメインＣＰＵにも、モバイルＴＶ受信機能を簡単に追加することができる携帯端末装置を提供することを目的とする。
【課題を解決するための手段】
【０００７】
本発明の携帯端末装置は、特定プログラムを実行する外部特定機能部と、前記外部特定機能部を制御するホストインターフェースと、カメラインターフェースと、前記外部特定機能部からの出力と前記カメラインターフェースへの入力とを選択し、該選択した信号を前記カメラインターフェースに接続する制御を行う制御手段とを備える構成を採る。
【発明の効果】
【０００８】
本発明によれば、既設のカメラＩ／Ｆ１４２を、モバイルＴＶ視聴用映像信号入力Ｉ／Ｆと共有することができ、セルラーベースバンドＬＳＩ１１０の汎用性確保とコストアップ回避、さらに回路面積の低減を図るとともに、モバイルデジタルテレビ専用のインターフェースを備えていないアプリケーションＬＳＩでモバイルデジタルテレビ機能を実現することができる。
【０００９】
また、モバイルデジタルテレビの視聴、記録機能を実現するソフトウェアを端末メーカが独自に作成する必要がなくなり、モバイルデジタルテレビ機能を備えた端末を容易に開発することができる。
【００１０】
したがって、テレビ視聴の機能を有したモバイルＴＶ視聴システムを従来の携帯電話システムなどに容易に追加することができる。
【発明を実施するための最良の形態】
【００１１】
以下、本発明の実施の形態について図面を参照して詳細に説明する。
【００１２】
（実施の形態１）
図１は、本発明の実施の形態１の携帯端末装置の概略構成を示すブロック図である。本実施の形態の携帯端末装置は、モバイルＴＶシステムをカメラ付き携帯電話機／ＰＨＳ（Personal Handy-Phone System）に適用した例である。
【００１３】
図１において、携帯端末装置１００は、セルラーベースバンドＬＳＩ１１０、制御プログラム１１１ａを有するＲＯＭ１１１、ＲＡＭ１１２、表示装置１１３、音声出力装置１１４、セルラーＲＦモジュール１１５、モバイルＴＶバックエンド処理ＬＳＩ１２０、バックエンド処理ブロック１２１、選択回路１２２，１２３、フロントエンドモジュール１２４、携帯電話向けカメラモジュール１２５、オーディオコーディック１２６、マイクロフォン１２７、制御プログラム１３１ａを有するＲＯＭ１３１、ＲＡＭ１３２、ホストインターフェース（Ｉ／Ｆ）１４１、カメラインターフェース（Ｉ／Ｆ）１４２，１５２、オーディオインターフェース（Ｉ／Ｆ）１４３、及び専用インターフェース（Ｉ／Ｆ）１５１を備えて構成される。なお、図示は省略するが、携帯端末装置１００は、電話機能キー、十字キー、モードキー，ダイヤルキーなどからなりユーザ操作によるデータを入力するキー入力装置、スピーカ等を備える。
【００１４】
セルラーベースバンドＬＳＩ１１０は、ＣＰＵ等からなり携帯端末装置１００全体を制御するとともに、モバイルＴＶバックエンド処理ＬＳＩ１２０間をホストＩ／Ｆ１４１、カメラＩ／Ｆ１４２及びオーディオＩ／Ｆ１４３により接続し、携帯電話向けカメラモジュール１２５からの映像信号を入力するカメラＩ／Ｆ１４２を、モバイルＴＶ視聴用映像信号入力Ｉ／Ｆと共有することで、モバイルＴＶ受信機能を持つ。
【００１５】
ＲＯＭ１１１は、携帯端末装置１００が動作する際に必要な制御プログラム１１１ａや通信制御データ等の固定データ等を記憶する読出し専用の半導体メモリである。ＲＡＭ１１２は、表示や通信に関するデータ、演算に使用するデータ及び演算結果等を一時的に記憶するいわゆるワーキングメモリとして使用される。携帯端末装置１００で処理されるプログラムは、このＲＡＭに展開されて実行される。また、ＲＡＭの一部は、電気的に書換可能な不揮発性メモリであるＥＥＰＲＯＭ（electrically erasable programmable ROM）からなり、ＥＥＰＲＯＭに書き込むプログラムを変えることによって、特に携帯端末装置１００における各種の仕様を変更することができる。
【００１６】
表示装置１１３は、ドットマトリクス構成のカラー表示可能なＬＣＤディスプレイ，ＥＬ（Electro Luminescence）、白色ＬＥＤバックライト及び各ドライバ等で構成され、受信情報，画像やテキスト情報などの情報をカラー表示する。音声出力装置１１４は、オーディオ信号を出力するアンプ，スピーカなどである。セルラーＲＦモジュール１１５は、携帯端末装置１００の無線通信の送受信を制御する。
【００１７】
モバイルＴＶバックエンド処理ＬＳＩ１２０は、バックエンド処理ブロック１２１、選択回路１２２及び選択回路１２３を備え、モバイルＴＶ受信のフロントエンド処理を施す。
【００１８】
バックエンド処理ブロック１２１は、フロントエンドモジュール１２４から入力されたＭＰＥＧ２−ＴＳ（Moving Picture Experts Group 2 - Transport Stream）形式のビットストリームをＡＶ分離するとともにデコードし、映像信号１６１と音声信号１６２として選択回路１２２と選択回路１２３に出力する。
【００１９】
選択回路１２２は、バックエンド処理ブロック１２１から出力された映像信号１６１と携帯電話向けカメラモジュール１２５に接続されたカメラＩ／Ｆ１５２から入力された映像信号１７１とを選択する。
【００２０】
選択回路１２３は、バックエンド処理ブロック１２１から出力された音声信号１６２とオーディオコーディック１２６から出力された音声信号１７２とを選択する。
【００２１】
上記選択回路１２２及び選択回路１２３により、一対のＡＶデジタル信号が選択され、セルラーベースバンドＬＳＩ１１０に搭載されているカメラＩ／Ｆ１４２及びオーディオＩ／Ｆ１４３を介して入力される。
【００２２】
フロントエンドモジュール１２４は、モバイルＴＶ受信のフロントエンド処理を施す。フロントエンドモジュール１２４は、専用Ｉ／Ｆ１５１を介してモバイルＴＶバックエンド処理ＬＳＩ１２０と接続される。
【００２３】
携帯電話向けカメラモジュール１２５は、携帯端末装置１００に内蔵された例えば２００万画素のＣＣＤ（Charge Coupled Device）（エリア型固体撮像素子）カメラである。このカメラは、単焦点レンズを有し、通常撮影時とバーコード読み取り時とで焦点深度が切換えられる。また、ズーム機能を有する。
【００２４】
オーディオコーディック１２６は、音声合成ＬＳＩからなりマイクロフォン１２７から入力された音声データをデジタル信号処理し、デジタル信号処理した音声信号１７２を選択回路１２３の一方の入力端子に入力する。
【００２５】
ＲＯＭ１３１は、モバイルＴＶバックエンド処理ＬＳＩ１２０が動作する際に必要な制御プログラム１３１ａや通信制御データ等の固定データ等を記憶する。ＲＡＭ１３２は、モバイルＴＶバックエンド処理ＬＳＩ１２０の演算に使用するデータ及び演算結果等を一時的に記憶する。
【００２６】
ホストＩ／Ｆ１４１は、セルラーベースバンドＬＳＩ１１０がモバイルＴＶバックエンド処理ＬＳＩ１２０のバックエンド処理ブロック１２１を制御するためのコマンドやデータ放送を通知する。
【００２７】
カメラＩ／Ｆ１４２は、モバイルＴＶバックエンド処理ＬＳＩ１２０の選択回路１２２により選択された映像信号１６１をセルラーベースバンドＬＳＩ１１０に入力する。
【００２８】
オーディオＩ／Ｆ１４３、オーディオコーディック１２６から出力された音声信号１７２を、モバイルＴＶバックエンド処理ＬＳＩ１２０を介してセルラーベースバンドＬＳＩ１１０に入力する。
【００２９】
専用Ｉ／Ｆ１５１は、フロントエンドモジュール１２４とバックエンド処理ブロック１２１とを接続し、ＭＰＥＧ２−ＴＳ形式ビットストリームデータを送受信する。
【００３０】
カメラＩ／Ｆ１５２は、携帯電話向けカメラモジュール１２５から出力された映像信号１７１を、モバイルＴＶバックエンド処理ＬＳＩ１２０に入力する。
【００３１】
本実施の形態では、モバイルＴＶバックエンド処理ＬＳＩ１２０が選択回路１２３を備えることを特徴としており、携帯電話向けカメラモジュール１２５から出力された映像信号１７１はそのままセルラーベースバンドＬＳＩ１１０のカメラＩ／Ｆ１４２に入力されるのではなく、一旦モバイルＴＶバックエンド処理ＬＳＩ１２０の選択回路１２３を経由し、選択回路１２３の選択結果としてモバイルＴＶバックエンド処理ＬＳＩ１２０に入力される。
【００３２】
図２は、上記携帯端末装置１００に搭載されたモバイルＴＶシステムの構成を示すブロック図である。
【００３３】
図２において、モバイルＴＶシステム２００は、ベースバンドＬＳＩ／メインアプリケーションＬＳＩ２１０、モバイルＴＶバックエンドＬＳＩ２２０、表示装置２３０、カメラ２４０、フラッシュＲＯＭ２５０、ＳＤＲＡＭ２６０、オーディオＤＡＣ２７０、スピーカ２７１、チューナＩＣ２８１及びＯＦＤＭ（Orthogonal Frequency Division Multiplexing）復調器２８２からなるチューナモジュール２８０を備えて構成される。
【００３４】
ベースバンドＬＳＩ／メインアプリケーションＬＳＩ２１０は、図１のセルラーベースバンドＬＳＩ１１０に対応し、モバイルＴＶバックエンドＬＳＩ２２０は、図１のモバイルＴＶバックエンド処理ＬＳＩ１２０に対応する。また、表示装置２３０は、図１の表示装置１１３に、カメラ２４０は、図１の携帯電話向けカメラモジュール１２５に、チューナモジュール２８０は、図１のセルラーＲＦモジュール１１５にそれぞれ対応する。
【００３５】
ベースバンドＬＳＩ／メインアプリケーションＬＳＩ２１０は、モバイルＴＶアプリケーション実行部２１１、フォントＲＯＭ２１２、ＯＳ（Operating System）２１３、シリアルＩ／Ｆ２１４、カメラＩｎ Ｉ／Ｆ２１５、ＳＤカードＩ／Ｆ２１６、ＧＰＩＯ（General Port Input Output ）２１７を備えて構成される。
【００３６】
モバイルＴＶアプリケーション実行部２１１は、ＯＳ２１３上でシリアルＩ／Ｆ２１４及びカメラＩｎ Ｉ／Ｆ２１５から入力されるデータを基にフォントＲＯＭ２１２を使用して画像合成処理を実行する。画像合成処理データはＲＧＢ出力され、表示装置２３０により表示される。モバイルＴＶアプリケーション実行部２１１は、ＥＰＧ（Electronic Program Guide）蓄積２１１ａ、通信制御２１１ｂ、ブラウザ２１１ｃ、字幕２１１ｄ、動画２１１ｅ、画像合成処理２１１ｆの各処理を行う。
【００３７】
ＧＰＩＯ２１７は、システム応用の際に汎用入出力端子で使用されるＩ／Ｏである。ＧＰＩＯ２１７出力が、モバイルＴＶバックエンドＬＳＩ２２０の選択回路２２５の切り替え制御信号となる。
【００３８】
モバイルＴＶバックエンドＬＳＩ２２０は、モバイルＴＶ視聴システム２２１及びＯＳ２２１Ａ、フォーマット変換部２２２、ビデオＯｕｔ Ｉ／Ｆ２２３、カメラＩｎ Ｉ／Ｆ２２４、選択回路２２５、シリアルＩ／Ｆ２２６、Ｉ２Ｓ（Inter IC Sound Interface） Ｉ／Ｆ２２７、Ｉ２Ｃ（Inter IC Controller） Ｉ／Ｆ２２８、ＴＳ（Transport Stream） Ｉ／Ｆ２２９を備えて構成される。モバイルＴＶ視聴システム２２１は、図３で後述するＣＰＵ３１０がＯＳ２２１Ａ上でモバイルＴＶ視聴のための各制御、すなわち映像系ではモバイルＴＶ視聴制御ミドルウェア２２１ａ、ビデオ再生２２１ｂ及びオーディオ再生２２１ｃを実行するとともに、通信系ではホストＣＰＵ通信制御２２１ｄ及びデータ放送抽出２２１ｅを実行する。
【００３９】
モバイルＴＶ視聴制御ミドルウェア２２１ａは、具体的にはＴＳデコード制御処理２２１ａ−１、ＰＳＩ（Serial Port Interface）／ＳＩ制御処理２２１ａ−２、ＡＶ ＥＳ抽出処理２２１ａ−３を実行し、ＡＶ ＥＳ抽出処理結果をビデオ再生２２１ｂ及びオーディオ再生２２１ｃに渡す。ビデオ再生２２１ｂは、ビデオデコーダ２２１ｂ−１により映像データを再生してフォーマット変換部２２２に出力する。また、オーディオ再生２２１ｃは、オーディオデコーダ２２１ｃ−１によりオーディオデータを再生してＩ２Ｓ Ｉ／Ｆ２２７に出力する。
【００４０】
一方、データ放送抽出２２１ｅは、カルーセル抽出処理２２１ｅ−１により伝送制御情報に含まれるＴＳからカルーセルデータを抽出し、モジュールファイル作成処理２２１ｅ−２によりモジュールファイルを作成してホストＣＰＵ通信制御２２１ｄに渡す。ホストＣＰＵ通信制御２２１ｄは、モジュールファイルを使ってシリアルＩ／Ｆ２２６との間でデータを入出力する。
【００４１】
フォーマット変換部２２２は、ＹＵＶ４２０形式のビデオ再生出力をＹＵＶ４２２形式の出力に変換する。
【００４２】
ビデオＯｕｔ Ｉ／Ｆ２２３は、ＹＵＶ４２２形式のビデオ信号を出力する。
【００４３】
カメラＩｎ Ｉ／Ｆ２２４は、カメラ２４０で撮影された映像データをＹＵＶ形式の映像データに変換して選択回路２２５の一方に入力する。
【００４４】
選択回路２２５は、ＧＰＩＯ２１７出力を基にビデオＯｕｔ Ｉ／Ｆ２２３の出力とカメラ２４０入力とのいずれかを選択し、カメラＩｎ Ｉ／Ｆ２１５に出力する。選択回路２２５は、ＧＰＩＯ２１７出力が“Ｈ”のときビデオ出力を、“Ｌ”のときカメラ入力を選択する。因みに、従来例では、選択回路２２５に相当する選択手段はなくカメラ２４０出力はそのまま、ベースバンドＬＳＩ／メインアプリケーションＬＳＩ２１０に入力されていた。
【００４５】
Ｉ２Ｓ Ｉ／Ｆ２２７は、音声データを出力する。Ｉ２Ｃ Ｉ／Ｆ２２８は、外部映像エンコーダ及びデコーダへのインターフェースを提供する。ＴＳ Ｉ／Ｆ２２９は、ＭＰＥＧ２−ＴＳを入力する。
【００４６】
フラッシュＲＯＭ２５０及びＳＤＲＡＭ２６０は、一括読書きのＦｌａｓｈＲＯＭ又はＳＲＡＭなどの不揮発性メモリからなり、モバイルＴＶバックエンドＬＳＩ２２０との間でデータの読出し又はデータの読書きを行う。フラッシュＲＯＭ２５０及びＳＤＲＡＭ２６０は、図１の携帯端末装置１００本体と装着可能なカード型記憶媒体である。
【００４７】
オーディオＤＡＣ２７０は、Ｉ２Ｓ Ｉ／Ｆ２２７からのＩ２Ｓデータをアナログ信号に変換・増幅してスピーカ２７１により出力する。
【００４８】
チューナモジュール２８０は、モバイルＴＶ視聴制御ミドルウェア２２１ａのＩ２Ｃ Ｉ／Ｆ２２８からの制御信号により制御される。チューナモジュール２８０は、チューナＩＣ２８１により受信アンテナで受信されたＲＦ帯周波数信号が図示しないＬＮＡ（Low Noise Amplifier）で増幅後、ベースバンド帯周波数信号へ周波数変換され、ＯＦＤＭ復調器２８２によりＦＦＴが入力信号に対して高速フーリエ変換処理を施すことにより、各サブキャリア毎の受信信号を得る。サブキャリア毎の受信信号は、等化器によりデータ歪みが補正され、ＯＦＤＭ復調信号となる。復調されたＭＰＥＧ２−ＴＳは、ＴＳ Ｉ／Ｆ２２９に出力され、ＴＳ Ｉ／Ｆ２２９は入力されたＭＰＥＧ２−ＴＳをＴＳデコード制御処理２２１ａ−１に渡す。
【００４９】
図３は、上記モバイルＴＶバックエンドＬＳＩ２２０の構成を示すブロック図である。図３は、図２に示すモバイルＴＶバックエンドＬＳＩ２２０をハード的構成で示すとともに、その要部を示している。
【００５０】
図３において、モバイルＴＶバックエンドＬＳＩ２２０は、ＣＰＵ３１０、メディアプロセッサ３１１、ＤＭＡＣ（Direct Memory Access Controller）３１２、フォーマット変換ブロック３１３、画像合成ブロック３１４、ＡＶ入出力ブロック３１５、メモリコントローラ３１６、ＴＳ Ｉ／Ｆ３１７、内部バス３１８、ビデオ選択回路３２１、オーディオ選択回路３２２、メモリ３５０、及びチューナ３６０を備えて構成される。
【００５１】
ＣＰＵ３１０は、モバイルＴＶ視聴制御ミドルウェアを実行する。また、入出力デバイス制御、データ放送処理、及びＴＳデコード処理を担当する。
【００５２】
メディアプロセッサ３１１は、ビデオ再生／オーディオ再生などの映像や音楽等の高速デジタル処理を専用で実行する信号処理やリアルタイム処理が高性能なプロセッサである。
【００５３】
ＤＭＡＣ３１２は、ＣＰＵ３１０を介さずに直接各装置とメモリ間で内部バス３１８を介してデータを行うＤＭＡ制御を行う。ＤＭＡＣ３１２は、ＤＭＡ要求が発行されるとＣＰＵ３１０に対して内部バス３１８の開放を要求し、ＣＰＵ３１０が内部バス３１８を解放できる場合は、バス使用の許可信号を出すとともに、バスをハイインピーダンス状態とする。
【００５４】
フォーマット変換ブロック３１３は、ＲＧＢ⇒ＹＵＶ変換／ＹＵＶ⇒ＲＧＢ変換処理を行う。また、フォーマット変換ブロック３１３は、ビデオ出力フォーマットに合わせる。
【００５５】
画像合成ブロック３１４は、カメラ画像やビデオデコード画像、字幕画面を合成する。また、画像回転なども実施する。
【００５６】
ＡＶ入出力ブロック３１５は、オーディオ入出力 Ｉ／Ｆやビデオ入出力 Ｉ／Ｆを制御する。
【００５７】
メモリコントローラ３１６は、ワークメモリやフレームバッファとしてのメモリアクセスを制御する。
【００５８】
ＴＳ Ｉ／Ｆ３１７は、チューナ３６０からのＭＰＥＧ２−ＴＳを入力する。
【００５９】
ビデオ選択回路３２１は、カメラ入力３３１とビデオデコード出力３３２の出力選択を行う。オーディオ選択回路３２２は、オーディオ入力３３３とオーディオデコード出力３３４の出力選択を行う。ビデオ選択回路３２１及びオーディオ選択回路３２２は、いずれも選択決定に選択レジスタ方式と端子選択方式のどちらか一方を想定している。ビデオ選択回路３２１及びオーディオ選択回路３２２は、図１では選択回路１２２及び選択回路１２３に対応する。また、ビデオ選択回路３２１は、図２では選択回路２２５に対応する。
【００６０】
メモリ３５０は、図１のＲＡＭ１３２の他、図２のフラッシュＲＯＭ２５０及びＳＤＲＡＭ２６０が含まれる。
【００６１】
チューナ３６０は、ここでは図２のチューナモジュール２８０である。
【００６２】
以下、上述のように構成された携帯端末装置の動作を説明する。
【００６３】
セルラーベースバンドＬＳＩ１１０に搭載されているカメラＩ／Ｆ１４２は、携帯電話向けカメラモジュール１２５に接続されたカメラＩ／Ｆ１５２と基本的には同一のカメラＩ／Ｆである。従来では携帯電話向けカメラモジュール１２５の映像信号を、そのままカメラＩ／Ｆ１４２に接続していた。本実施の形態では、携帯端末装置１００は、モバイルＴＶ機能を実現するモバイルＴＶバックエンド処理ＬＳＩ１２０を新たに備えており、モバイルＴＶバックエンド処理ＬＳＩ１２０は、モバイルＴＶの映像信号及びオーディオ信号をセルラーベースバンドＬＳＩ１１０に出力する必要がある。しかし、セルラーベースバンドＬＳＩ１１０の汎用性確保とコストアップ回避、さらに回路面積の低減の観点から、セルラーベースバンドＬＳＩ１１０には、モバイルＴＶ映像信号入力用の専用Ｉ／Ｆを設けたくない。そこで、カメラ付き携帯電話機用としてセルラーベースバンドＬＳＩ１１０に既設されているカメラＩ／Ｆ１４２を、モバイルＴＶバックエンド処理ＬＳＩ１２０からのモバイルＴＶ用映像信号入力用Ｉ／Ｆとして兼用させる。そのため、モバイルＴＶバックエンド処理ＬＳＩ１２０内に、セルラーベースバンドＬＳＩ１１０からの制御信号に基づいて携帯電話向けカメラモジュール１２５の映像信号とモバイルＴＶ用映像信号とを選択する選択回路１２２を設け、いずれか一方の映像信号をカメラＩ／Ｆ１４２に出力することで、モバイルデジタルテレビ専用のインターフェースを備えていないアプリケーションＬＳＩでモバイルデジタルテレビ機能の実現を可能にする。
【００６４】
図１に示すように、携帯端末装置１００は、携帯電話機の通話機能及びＡＶ処理などの基本アプリケーション機能を有するセルラーベースバンドＬＳＩ１１０と、モバイルＴＶ受信機能を有するモバイルＴＶバックエンド処理ＬＳＩ１２０とを備え、セルラーベースバンドＬＳＩ１１０とモバイルＴＶバックエンド処理ＬＳＩ１２０とは、ホストＩ／Ｆ１４１により相互に接続される。
【００６５】
モバイルＴＶバックエンド処理ＬＳＩ１２０には、フロントエンドモジュール１２４、携帯電話向けカメラモジュール１２５、及びオーディオコーディック１２６が接続される。
【００６６】
フロントエンドモジュール１２４は、専用Ｉ／Ｆ１５１を介してモバイルＴＶバックエンド処理ＬＳＩ１２０のバックエンド処理ブロック１２１にＭＰＥＧ２−ＴＳ形式ビットストリームデータを出力する。モバイルＴＶバックエンド処理ＬＳＩ１２０に入力されたＭＰＥＧ２−ＴＳ形式のビットストリームは、バックエンド処理ブロック１２１によりＡＶ分離・デコードされ、映像信号１６１と音声信号１６２として出力される。
【００６７】
携帯電話向けカメラモジュール１２５は、カメラＩ／Ｆ１５２を介してモバイルＴＶバックエンド処理ＬＳＩ１２０に映像信号を出力し、マイクロフォン１２７の音声データはオーディオコーディック１２６によりデジタル信号化され、デジタル音声Ｉ／Ｆを介してモバイルＴＶバックエンド処理ＬＳＩ１２０に出力される。
【００６８】
本実施の形態のモバイルＴＶバックエンド処理ＬＳＩ１２０は、モバイルＴＶ受信機能とカメラ入力を選択する選択回路１２２と、モバイルＴＶ受信機能とマイクロフォン入力を選択する選択回路１２３とを備えることを特徴とする。
【００６９】
選択回路１２２及び選択回路１２３は、セルラーベースバンドＬＳＩ１１０からの制御信号により切替え動作し、選択回路１２２は、バックエンド処理ブロック１２１から出力された映像信号１６１とカメラＩ／Ｆ１５２から入力された映像信号１７１とのいずれかを選択する。また、選択回路１２３は、バックエンド処理ブロック１２１から出力された音声信号１６２と、オーディオコーディック１２６から入力された音声信号１７２とのいずれかを選択する。セルラーベースバンドＬＳＩ１１０からの制御信号は、具体的には図２及び図３に示すＧＰＩＯ出力である。セルラーベースバンドＬＳＩ１１０に対応するモバイルＴＶバックエンドＬＳＩ２２０（図２及び図３）は、カメラ機能及びＡＶ処理などの基本アプリケーション機能の実行時に、外部に対してＧＰＩＯを用いて制御信号を送出することができる。
【００７０】
このように、モバイルＴＶバックエンド処理ＬＳＩ１２０に設置された選択回路１２２及び選択回路１２３により、バックエンド処理ブロック１２１から出力されるモバイルＴＶの映像信号１６１及び音声信号１６２と、カメラＩ／Ｆ１５２及びオーディオコーディク１２６から出力される映像信号１７１及び音声信号１７２とのいずれかの、一対のＡＶデジタル信号が選択される。選択回路１２２及び選択回路１２３により選択された一対のＡＶデジタル信号は、セルラーベースバンドＬＳＩ１１０に搭載されているカメラＩ／Ｆ１４２及びオーディオＩ／Ｆ１４３を介してセルラーベースバンドＬＳＩ１１０に入力され、セルラーベースバンドＬＳＩ１１０は、カメラＩ／Ｆ１４２及びオーディオＩ／Ｆ１４３に入力された映像信号及びオーディオ信号をそれぞれ表示装置１１３と音声出力装置１１４とに出力する。
【００７１】
モバイルＴＶ受信機能とカメラ入力の選択動作について、図２及び図３を参照してさらに詳細に説明する。
【００７２】
図１のモバイルＴＶバックエンド処理ＬＳＩ１２０の選択回路１２２は、図２のモバイルＴＶバックエンドＬＳＩ２２０の選択回路２２５に対応する。選択回路２２５は、ベースバンドＬＳＩ／メインアプリケーションＬＳＩ２１０のＧＰＩＯ２１７出力を基にビデオＯｕｔ Ｉ／Ｆ２２３の出力とカメラ２４０入力とのいずれかを選択し、選択したＹＵＶ４２２形式のビデオ信号をベースバンドＬＳＩ／メインアプリケーションＬＳＩ２１０のカメラＩｎ Ｉ／Ｆ２１５に出力する。ここでは、ＧＰＩＯを用いて端子選択方式により選択決定している。例えば、選択回路２２５は、ＧＰＩＯ２１７出力が“Ｈ”のときビデオ出力を、“Ｌ”のときカメラ入力を選択する。
【００７３】
さらに具体的に見ると、図１のモバイルＴＶバックエンド処理ＬＳＩ１２０の選択回路１２２及び選択回路１２３は、図３のモバイルＴＶバックエンドＬＳＩ２２０のビデオ選択回路３２１及びオーディオ選択回路３２２に対応する。ビデオ選択回路３２１は、ベースバンドＬＳＩ／メインアプリケーションＬＳＩ２１０のＧＰＩＯ出力を基にＡＶ入出力ブロック３１５の映像出力ＹＵＶ／ＲＧＢとカメラＩｎ入力３３１とのいずれかを選択し、選択したＹＵＶ形式のＲＧＢ映像信号をベースバンドＬＳＩ／メインアプリケーションＬＳＩ２１０のビデオＯｕｔ出力３３２に出力する。また、オーディオ選択回路３２２は、ベースバンドＬＳＩ／メインアプリケーションＬＳＩ２１０のＧＰＩＯ出力を基にＡＶ入出力ブロック３１５のオーディオ出力ＰＣＭとオーディオＩｎ入力３３３とのいずれかを選択し、選択したＰＣＭオーディオ信号をベースバンドＬＳＩ／メインアプリケーションＬＳＩ２１０のオーディオＯｕｔ出力３３４に出力する。
【００７４】
以上説明したように、本実施の形態によれば、携帯端末装置１００全体を制御するとともに、モバイルＴＶバックエンド処理ＬＳＩ１２０間をホストＩ／Ｆ１４１、カメラＩ／Ｆ１４２及びオーディオＩ／Ｆ１４３により接続するセルラーベースバンドＬＳＩ１１０と、モバイルＴＶ機能を実現するモバイルＴＶバックエンド処理ＬＳＩ１２０とを備え、モバイルＴＶバックエンド処理ＬＳＩ１２０内に、セルラーベースバンドＬＳＩ１１０からの制御信号に基づいて携帯電話向けカメラモジュール１２５の映像信号とモバイルＴＶ用映像信号とを選択する選択回路１２２を設け、いずれか一方の映像信号をカメラＩ／Ｆ１４２に出力することで、携帯電話向けカメラモジュール１２５からの映像信号を入力する既設のカメラＩ／Ｆ１４２を、モバイルＴＶ視聴用映像信号入力Ｉ／Ｆと共有することができる。これにより、セルラーベースバンドＬＳＩ１１０の汎用性確保とコストアップ回避、さらに回路面積の低減を図るとともに、モバイルデジタルテレビ専用のインターフェースを備えていないアプリケーションＬＳＩでモバイルデジタルテレビ機能を実現することができる。
【００７５】
また、セルラーベースバンドＬＳＩ１１０の汎用性が確保されるので、モバイルデジタルテレビの視聴、記録機能を実現するソフトウェアを端末メーカが独自に作成する必要がなくなり、モバイルデジタルテレビ機能を備えた端末を容易に開発することが可能となる。
【００７６】
なお、本実施の形態では、選択回路１２２，１２３等を制御する制御信号としてセルラーベースバンドＬＳＩ１１０からのＧＰＩＯ出力（Ｈ／Ｌ）に基づく端子選択方式を採用しているが、制御コードをレジスタに転送し該レジスタ値により出力経路を制御する選択レジスタ方式を採用してもよく、同様の効果を得ることができる。
【００７７】
また、本実施の形態は、カメラ付き携帯電話機本体には特殊な装置は不要であるため、本体の設計変更や部材の追加などを行うことなく直ちに実施が可能である利点がある。
【００７８】
（実施の形態２）
図４は、本発明の実施の形態２の携帯端末装置の概略構成を示すブロック図である。本実施の形態の携帯端末装置は、モバイルＴＶシステムをカメラ付き携帯電話機／ＰＨＳに適用した例である。図１と同一構成部分には同一符号を付して重複箇所の説明を省略する。
【００７９】
図４において、携帯端末装置４００は、セルラーベースバンドＬＳＩ１１０、制御プログラム１１１ａを有するＲＯＭ１１１、ＲＡＭ１１２、表示装置１１３、音声出力装置１１４、セルラーＲＦモジュール１１５、アナログＴＶチューナモジュール４１０、モバイルＴＶバックエンド処理ＬＳＩ４２０、バックエンド処理ブロック１２１、選択回路１２２，１２３、ビデオＡ／Ｄ変換器４２１、及びオーディオＡ／Ｄ変換器４２２、フロントエンドモジュール１２４、制御プログラム１３１ａを有するＲＯＭ１３１、ＲＡＭ１３２、ホストＩ／Ｆ１４１、カメラＩ／Ｆ１４２、オーディオＩ／Ｆ１４３、及び専用Ｉ／Ｆ１５１を備えて構成される。
【００８０】
携帯端末装置４００は、図１の携帯電話向けカメラモジュール１２５及びオーディオコーディック１２６に代えてアナログＴＶチューナモジュール４１０を有する。
【００８１】
モバイルＴＶバックエンド処理ＬＳＩ４２０は、バックエンド処理ブロック１２１、選択回路１２２，１２３、ビデオＡ／Ｄ変換器４２１、及びオーディオＡ／Ｄ変換器４２２を備え、モバイルＴＶ受信のフロントエンド処理を施す。
【００８２】
アナログＴＶチューナモジュール４１０は、アナログＴＶ放送を受信する。アナログＴＶチューナモジュール４１０により受信されたアナログ映像信号４１１とアナログ音声信号４１２は、モバイルＴＶバックエンド処理ＬＳＩ４２０に入力され、ビデオＡ／Ｄ変換器４２１及びオーディオＡ／Ｄ変換器４２２によりデジタル信号に変換され、デジタル変換後の映像信号４３１と音声信号４３２は選択回路１２２と選択回路１２３にそれぞれ入力される。
【００８３】
選択回路１２２及び選択回路１２３は、セルラーベースバンドＬＳＩ１１０からの制御信号により切替え動作し、選択回路１２２は、バックエンド処理ブロック１２１から出力された映像信号１６１とアナログＴＶチューナモジュール４１０から入力されデジタル信号に変換された映像信号４３１とのいずれかを選択する。また、選択回路１２３は、バックエンド処理ブロック１２１から出力された音声信号１６２とアナログＴＶチューナモジュール４１０から入力されデジタル信号に変換された音声信号４３２とのいずれかを選択する。
【００８４】
このように、本実施の形態によれば、カメラ付き携帯電話機用としてセルラーベースバンドＬＳＩ１１０に既設されているカメラＩ／Ｆ１４２を、モバイルＴＶバックエンド処理ＬＳＩ４２０からのモバイルＴＶ用映像信号入力用Ｉ／Ｆとして兼用させる。そのため、モバイルＴＶバックエンド処理ＬＳＩ１２０内に、セルラーベースバンドＬＳＩ１１０からの制御信号に基づいてアナログＴＶチューナモジュール４１０の映像信号とモバイルＴＶ用映像信号とを選択する選択回路１２２を設け、いずれか一方の映像信号をカメラＩ／Ｆ１４２に出力することで、デジタルテレビとアナログテレビのどちらか感度の良い方を選択することが可能になり、受信エリアを拡大することができる。
【００８５】
（実施の形態３）
実施の形態１，２は、基本的なモバイルＴＶ付き携帯電話機への適用例について説明した。実施の形態３では、複数のカメラ画像を合成して、一枚の画像として出力する監視カメラのような携帯端末装置について説明する。
【００８６】
図５は、本発明の実施の形態３の携帯端末装置の概略構成を示すブロック図である。図１と同一構成部分には同一符号を付して重複箇所の説明を省略する。本実施の形態は、監視カメラ機能を実現するカメラ撮影システムに適用した例である。
【００８７】
図５において、カメラ撮影システム５００は、メインＣＰＵ５１０、ビデオエンコーダ５１１、ＲＯＭ１１１、ＲＡＭ１１２、表示装置１１３、主記憶装置５１２、アプリケーションＬＳＩ５２０、合成ブロック５２１、カメラモジュール５３１〜５３４、ＲＯＭ５４１、ＲＡＭ５４２、ホストＩ／Ｆ１４１、及びカメラＩ／Ｆ１４２を備えて構成される。
【００８８】
メインＣＰＵ５１０は、カメラ撮影システム５００全体を制御するとともに、アプリケーションＬＳＩ５２０間をコマンド送受信インターフェースであるホストＩ／Ｆ１４１及び合成画像を送信するカメラＩ／Ｆ１４２により接続し、既設のカメラＩ／Ｆ１４２にアプリケーションＬＳＩ５２０の合成ブロック５２１からの映像信号を入力する。
【００８９】
図６は合成ブロック５２１のカメラ映像を合成例を示す図である。
【００９０】
合成ブロック５２１は、複数のカメラ画像を合成する。ここでは、図６に示すように、複数のカメラモジュール５３１〜５３４から出力されるカメラ映像Ａ〜Ｄを合成し、一枚の画像として出力する。
【００９１】
ビデオエンコーダ５１１は、アプリケーションＬＳＩ５２０からカメラＩ／Ｆ１４２を介して入力された映像信号を、主記憶装置５１２で記憶できる形式にビデオ符号化する。このビデオ符号化はデータ圧縮処理を含む。
【００９２】
主記憶装置５１２は、例えばＨＤＤにより構成され、ビデオ符号化された映像データを記憶する。
【００９３】
本実施の形態によれば、メインＣＰＵ５１０が有するカメラＩ／Ｆ１４２を介してアプリケーションＬＳＩ５２０の合成ブロック５２１からの映像信号が入力される。メインＣＰＵ５１０に既設されているカメラＩ／Ｆ１４２を、アプリケーションＬＳＩ５２０からの映像信号入力用Ｉ／Ｆとして兼用させている。したがって、メインＣＰＵ５１０の汎用性確保とコストアップ回避、さらに回路面積の低減を図ることができる。
【００９４】
なお、本実施の形態では、４台のカメラを接続した場合の監視カメラシステムの場合の例について説明したが、カメラの数は２つ以上であればよい。
【００９５】
（実施の形態４）
図７は、本発明の実施の形態４の携帯端末装置の概略構成を示すブロック図である。図１と同一構成部分には同一符号を付して重複箇所の説明を省略する。本実施の形態は、マイクロフォンからの音声と音楽再生を合成するモバイル機器システムに適用した例である。
【００９６】
図７において、モバイル機器システム６００は、メインＣＰＵ６１０、録音機能ブロック６１１、出力制御ブロック６１２、主記憶装置６１３、Ｄ／Ａ変換器６１４、スピーカ６１５、ＲＯＭ１１１、ＲＡＭ１１２、アプリケーションＬＳＩ６２０、音楽再生ブロック６２１、音声合成ブロック６２２、半導体メモリ６２３、マイクロフォン６３１、Ａ／Ｄ変換器６３２、ＲＯＭ６４１、ＲＡＭ６４２、ホストＩ／Ｆ１４１、及びオーディオＩ／Ｆ１４３を備えて構成される。
【００９７】
メインＣＰＵ６１０は、モバイル機器システム６００全体を制御するとともに、アプリケーションＬＳＩ６２０間をコマンド送受信インターフェースであるホストＩ／Ｆ１４１及び音声信号を送信するオーディオＩ／Ｆ１４３により接続し、既設のオーディオＩ／Ｆ１４３にアプリケーションＬＳＩ６２０の音声合成ブロック６２２からの音声信号を入力する。
【００９８】
音楽再生ブロック６２１は、音楽を再生する。音楽再生ブロック６２１は、アプリケーションＬＳＩ６２０のアプリケーション実行に伴い再生した音楽を半導体メモリ６２３に保存し、また音声合成ブロック６２２に出力する。
【００９９】
音声合成ブロック６２２は、マイクロフォン６３１からの音声信号と音楽再生ブロック６２１からのオーディオ信号とを合成する。合成されたオーディオ信号は、オーディオＩ／Ｆ１４３を介してメインＣＰＵ６１０の録音機能ブロック６１１及び出力制御ブロック６１２に出力される。
【０１００】
録音機能ブロック６１１は、アプリケーションＬＳＩ６２０からオーディオＩ／Ｆ１４３を介して入力されたオーディオ信号を、主記憶装置６１３で記憶できる形式に符号化して記憶する。この符号化はデータ圧縮処理を含む。
【０１０１】
主記憶装置６１３は、例えばＨＤＤにより構成され、符号化された音声データを記憶する。
【０１０２】
出力制御ブロック６１２は、オーディオＩ／Ｆ１４３を介して入力されたオーディオ信号をＤ／Ａ変換器６１４に出力し、スピーカ６１５により放音させる。
【０１０３】
本実施の形態によれば、メインＣＰＵ６１０が有するオーディオＩ／Ｆ１４３を介してアプリケーションＬＳＩ６２０の音声合成ブロック６２２からのオーディオ信号が入力される。メインＣＰＵ６１０に既設されているオーディオＩ／Ｆ１４３を、アプリケーションＬＳＩ６２０からの音声信号入力用Ｉ／Ｆとして兼用させている。したがって、メインＣＰＵ６１０の汎用性確保とコストアップ回避、さらに回路面積の低減を図ることができる。
【０１０４】
（実施の形態５）
図８は、本発明の実施の形態５の携帯端末装置の概略構成を示すブロック図である。図１と同一構成部分には同一符号を付して重複箇所の説明を省略する。本実施の形態は、ＳＤカードなどのメモリに蓄積された動画ファイルとモバイルテレビの映像を合成するモバイルＴＶ付き携帯電話に適用した例である。
【０１０５】
図８において、携帯端末装置７００は、セルラーベースバンドＬＳＩ１１０、制御プログラム１１１ａを有するＲＯＭ１１１、ＲＡＭ１１２、表示装置１１３、音声出力装置１１４、セルラーＲＦモジュール１１５、アプリケーションＬＳＩ７２０、配信データ再生ブロック７２１、合成処理ブロック７２２、携帯電話向けカメラモジュール１２５、オーディオコーディック１２６、マイクロフォン１２７、制御プログラム７３１ａを有するＲＯＭ７３１、ＲＡＭ７３２、ホストＩ／Ｆ１４１、カメラＩ／Ｆ１４２，１５２、及びＬＡＮ接続Ｉ／Ｆ７４１を備えて構成される。
【０１０６】
セルラーベースバンドＬＳＩ１１０は、アプリケーションＬＳＩ７２０間をホストＩ／Ｆ１４１、カメラＩ／Ｆ１４２及びオーディオＩ／Ｆ１４３により接続し、携帯電話向けカメラモジュール１２５からの映像信号を入力するカメラＩ／Ｆ１４２を、映像信号入力Ｉ／Ｆと共有し、オーディオＩ／Ｆ１４３を、オーディオ信号入力Ｉ／Ｆと共有することで、ネットワーク配信データ受信機能を持つ。
【０１０７】
配信データ再生ブロック７２１は、ネットワーク配信データを再生する。
【０１０８】
合成処理ブロック７２２は、携帯電話向けカメラモジュール１２５からの映像信号及びオーディオコーディック１２６からの音声信号と配信データ再生ブロック７２１からの映像信号７５１及び音声信号７５２とを合成する。例えば、合成処理ブロック７２２は、カメラ撮影画像と、インターネットなどのネットワークから配信された映像を合成し、表示用画像を作成する。合成されたオーディオ信号は、カメラＩ／Ｆ１４２及びオーディオＩ／Ｆ１４３を介してセルラーベースバンドＬＳＩ１１０に出力される。
【０１０９】
本実施の形態によれば、セルラーベースバンドＬＳＩ１１０が有するカメラＩ／Ｆ１４２及びオーディオＩ／Ｆ１４３を介してアプリケーションＬＳＩ７２０の合成処理ブロック７２２からの映像信号及びオーディオ信号が入力される。セルラーベースバンドＬＳＩ１１０に既設されているカメラＩ／Ｆ１４２及びオーディオＩ／Ｆ１４３を、アプリケーションＬＳＩ７２０からの映像及び音声信号入力用Ｉ／Ｆとして兼用させている。したがって、ＩＰ電話によるテレビ電話会議システムに適用することができ、セルラーベースバンドＬＳＩ１１０の汎用性確保とコストアップ回避、さらに回路面積の低減を図ることができる。
【０１１０】
（実施の形態６）
図９は、本発明の実施の形態６の携帯端末装置の概略構成を示すブロック図である。図１及び図７と同一構成部分には同一符号を付して重複箇所の説明を省略する。本実施の形態は、ＳＤカードなどのメモリに蓄積された動画ファイルとモバイルテレビの映像を合成するモバイルＴＶ付き携帯電話に適用した例である。
【０１１１】
図９において、携帯端末装置８００は、セルラーベースバンドＬＳＩ１１０、制御プログラム１１１ａを有するＲＯＭ１１１、ＲＡＭ１１２、表示装置１１３、音声出力装置１１４、セルラーＲＦモジュール１１５、アプリケーションＬＳＩ８２０、バックエンド処理ブロック１２１、配信データ再生ブロック８２１、合成処理ブロック８２２、半導体メモリ８２３、制御プログラム８３１ａを有するＲＯＭ８３１、ＲＡＭ８３２、ホストＩ／Ｆ１４１、カメラＩ／Ｆ１４２、及び専用Ｉ／Ｆ１５１を備えて構成される。
【０１１２】
セルラーベースバンドＬＳＩ１１０は、アプリケーションＬＳＩ８２０間をホストＩ／Ｆ１４１、カメラＩ／Ｆ１４２及びオーディオＩ／Ｆ１４３により接続し、携帯電話向けカメラモジュール（図示略）からの映像信号を入力するカメラＩ／Ｆ１４２を、映像信号入力Ｉ／Ｆと共有し、オーディオＩ／Ｆ１４３を、オーディオ信号入力Ｉ／Ｆと共有することで、ネットワーク配信データ受信機能を持つ。
【０１１３】
配信データ再生ブロック８２１は、ネットワーク配信データを再生する。
【０１１４】
合成処理ブロック８２２は、バックエンド処理ブロック１２１からの映像信号１６１及び音声信号１６２と配信データ再生ブロック８２１からの映像信号８５１及び音声信号８５２とを合成する。例えば、合成処理ブロック８２２は、ＳＤカードなどの半導体メモリ８２３に蓄積された動画ファイルとモバイルテレビの映像を合成する。合成された映像信号８６１及びオーディオ信号８６２は、カメラＩ／Ｆ１４２及びオーディオＩ／Ｆ１４３を介してセルラーベースバンドＬＳＩ１１０に出力される。
【０１１５】
本実施の形態によれば、セルラーベースバンドＬＳＩ１１０が有するカメラＩ／Ｆ１４２及びオーディオＩ／Ｆ１４３を介してアプリケーションＬＳＩ８２０の合成処理ブロック８２２からの映像信号及びオーディオ信号が入力される。セルラーベースバンドＬＳＩ１１０に既設されているカメラＩ／Ｆ１４２及びオーディオＩ／Ｆ１４３を、アプリケーションＬＳＩ８２０からの映像及び音声信号入力用Ｉ／Ｆとして兼用させている。したがって、ＳＤカードなどのメモリに蓄積された動画ファイルとモバイルテレビの映像を合成するモバイルテレビ付き携帯電話に適用することができ、セルラーベースバンドＬＳＩ１１０の汎用性確保とコストアップ回避、さらに回路面積の低減を図ることができる。
【０１１６】
なお、本発明の携帯電話機、携帯端末装置、カメラ撮影システム及びモバイル機器システムは、上述の実施の形態に限定されるものではなく、本発明の要旨を逸脱しない範囲内において種々変更を加え得ることは勿論である。
【０１１７】
例えば、携帯端末装置としてカメラ付き携帯電話機に適用した例について説明したが、携帯電話機に限らずＰＤＡ（Personal Digital Assistants）など情報機器機能を持った又はその融合された装置に適用可能である。また、携帯パソコンに代表される情報機器機能に融合された装置であってもよく、全てのシステムに適用可能である。
【０１１８】
また、上記携帯端末装置を構成する各処理部等の種類、設定情報の種類・形式などは前述した実施形態に限られない。
【０１１９】
また、本実施の形態では携帯電話機、携帯端末装置、カメラ撮影システム及びモバイル機器システムという名称を用いたが、これは説明の便宜上であり、画像表示装置等であってもよい。
【０１２０】
以上説明した携帯端末装置は、携帯端末装置を機能させるためのプログラムでも実現される。このプログラムはコンピュータで読み取り可能な記録媒体に格納されている。
【産業上の利用可能性】
【０１２１】
本発明に係る携帯端末装置は、カメラ付き携帯電話機等の通信端末装置に適用可能である。本発明は、昨今の携帯電話端末に搭載するアプリケーションＬＳＩ及び、ベースバンドＬＳＩに標準搭載されているカメラ入力インターフェースと、最近サービスが本格化したモバイルＴＶ視聴に必要となるモバイルＴＶ受信インターフェースを共有することで、モバイルＴＶ専用インターフェースを持たないメインＣＰＵにも、モバイルＴＶ受信機能を簡単に追加することができる装置とプログラムを備えたシステムの用途に有用である。また、制御プログラムとして携帯電話機などの電子機器に組み込むことも可能である。
【図面の簡単な説明】
【０１２２】
【図１】本発明の実施の形態１の携帯端末装置の概略構成を示すブロック図
【図２】上記実施の形態１の携帯端末装置に搭載されたモバイルＴＶシステムの構成を示すブロック図
【図３】上記実施の形態１の携帯端末装置のモバイルＴＶバックエンドＬＳＩの構成を示すブロック図
【図４】本発明の実施の形態２の携帯端末装置の概略構成を示すブロック図
【図５】本発明の実施の形態３の携帯端末装置の概略構成を示すブロック図
【図６】上記実施の形態３の携帯端末装置の合成ブロックのカメラ映像を合成例を示す図
【図７】本発明の実施の形態４の携帯端末装置の概略構成を示すブロック図
【図８】本発明の実施の形態５の携帯端末装置の概略構成を示すブロック図
【図９】本発明の実施の形態６の携帯端末装置の概略構成を示すブロック図
【符号の説明】
【０１２３】
１００，４００，７００，８００  携帯端末装置
１１０  セルラーベースバンドＬＳＩ
１１１，１３１，５４１，６４１，７３１，８３１  ＲＯＭ
１１２，１３２，５４２，６４２，７３２，８３２  ＲＡＭ
１１３  表示装置
１１４  音声出力装置
１１５  セルラーＲＦモジュール
１２０，４２０  モバイルＴＶバックエンド処理ＬＳＩ
１２１  バックエンド処理ブロック
１２２，１２３  選択回路
１２４  フロントエンドモジュール
１２５  携帯電話向けカメラモジュール
１２６  オーディオコーディック
１２７，６３１  マイクロフォン
１４１  ホストインターフェース（Ｉ／Ｆ）
１４２，１５２  カメラインターフェース（Ｉ／Ｆ）
１４３  オーディオインターフェース（Ｉ／Ｆ）
１５１  専用インターフェース（Ｉ／Ｆ）
４１０  アナログＴＶチューナモジュール
４２１  ビデオＡ／Ｄ変換器
４２２  オーディオＡ／Ｄ変換器
５００  カメラ撮影システム
５１０，６１０  メインＣＰＵ
５１１  ビデオエンコーダ
５１２，６１３  主記憶装置
５２０，６２０，７２０，８２０  アプリケーションＬＳＩ
５２１  合成ブロック
５３１〜５３４  カメラモジュール
６００  モバイル機器システム
６１１  録音機能ブロック
６１２  出力制御ブロック
６１４  Ｄ／Ａ変換器
６１５  スピーカ
６２１  音楽再生ブロック
６２２  音声合成ブロック
６２３，８２３  半導体メモリ
７２１，８２１  配信データ再生ブロック
７２２，８２２  合成処理ブロック
【図１】
2008219174.tif 000003
【図２】
2008219174.tif 000004
【図３】
2008219174.tif 000005
【図４】
2008219174.tif 000006
【図５】
2008219174.tif 000007
【図６】
2008219174.tif 000008
【図７】
2008219174.tif 000009
【図８】
2008219174.tif 000010
【図９】
2008219174.tif 000011